(57)【要約】【課題】  冷蔵室の内部を冷却するための一体の冷凍ユニットを前記冷蔵室から着脱自在に設置することで、冷蔵庫の製造工程を単純化し、冷蔵庫のメンテナンスを容易に行い得る冷蔵庫を提供する。【解決手段】  内部に冷蔵室１２が形成されるキャビネット１０と、該キャビネット１０の内部に着脱自在に設置されて前記冷蔵室１２の一方側を密閉し、その内部に機械室１４を形成するケーシング３２と、前記機械室１４の内部に設置され、圧縮、凝縮、膨脹及び蒸発の冷凍サイクルを行う各メカニズムが一体に構成されることで前記冷蔵室１２に冷気を供給する冷凍ユニット３１と、を含んで冷蔵庫を構成する。【選択図】      図１
2005037120.tif 000002
【特許請求の範囲】
【請求項１】
内部に冷蔵室が形成されるキャビネットと、
該キャビネットの内部に着脱自在に設置されて前記冷蔵室の一方側を密閉し、その内部に機械室を形成するケーシングと、
前記機械室の内部に設置され、圧縮、凝縮、膨脹及び蒸発の冷凍サイクルを行う各メカニズムが一体に構成されることで前記冷蔵室に冷気を供給する冷凍ユニットと、
を含んで構成されることを特徴とする冷蔵庫。
【請求項２】
前記ケーシングは、
前記冷蔵室の一方側を密閉して該冷蔵室の一側面をなし、前記機械室内部の冷気を前記冷蔵室に供給する冷気流入口及び前記冷蔵室内部の空気を前記機械室に流入させる空気循環口がそれぞれ形成された覆蓋板と、
該覆蓋板に固定され、前記機械室を外部と連通する第１室と前記覆蓋板の冷気流入口及び空気循環口と連通し外部から密閉される第２室とに区画する隔壁と、
を含んで構成されることを特徴とする請求項１記載の冷蔵庫。
【請求項３】
前記覆蓋板は、前記キャビネットの下側に前記冷蔵室の底面をなすように形成されることを特徴とする請求項２記載の冷蔵庫。
【請求項４】
前記冷凍ユニットは、
前記第１室に設置されて冷媒を圧縮する圧縮器と、
該圧縮器により圧縮された冷媒を液化させるため前記第１室に設置された凝縮器と、
該凝縮器により液化した高温高圧の冷媒を低温低圧の冷媒に変化させる膨脹弁と、
該膨脹弁を通過した低温低圧の液体冷媒を気化させながら周囲の熱を吸収するために前記第２室に設置された蒸発器と、
該蒸発器に隣接して設置され、該蒸発器の周囲の冷気を前記冷蔵室の内部に供給する循環ファンと、
該循環ファンを駆動させる駆動モータと、
から構成されることを特徴とする請求項２記載の冷蔵庫。
【請求項５】
前記第１室には、前記凝縮器内部の冷媒を放熱させるように、前記第１室内部の空気を循環させる凝縮器ファンが設置されることを特徴とする請求項４記載の冷蔵庫。
【請求項６】
前記駆動モータは、一対の回転軸が両側から延在し、前記一対の回転軸に前記循環ファン及び前記凝縮器ファンがそれぞれ連結されることを特徴とする請求項５記載の冷蔵庫。
【請求項７】
前記機械室の一方側には、外部と前記第１室とを連通させる通気口を有するカバーが設置されることを特徴とする請求項２記載の冷蔵庫。
【請求項８】
前記隔壁には、前記キャビネットに対して傾斜する傾斜部が形成され、該傾斜部に前記駆動モータが設置されることを特徴とする請求項４記載の冷蔵庫。
【請求項９】
前記凝縮器は、前記凝縮器ファンを基準に該凝縮器ファンによる空気の流動方向の後方側に配設されることを特徴とする請求項４記載の冷蔵庫。
【請求項１０】
前記機械室の底部には、前記冷凍ユニットが支持されるベースプレートがさらに備えられることを特徴とする請求項１記載の冷蔵庫。
【発明の詳細な説明】
【技術分野】
【０００１】
本発明は、冷蔵庫に関するもので、詳しくは、冷蔵庫の製造工程を単純化し、冷蔵室を冷却するための冷凍ユニットのメンテナンスを容易に行い得る冷蔵庫に関するものである。
【背景技術】
【０００２】
図６及び図７に示したように、従来の冷蔵庫は、内部に冷蔵物が保存される冷蔵室１１２が形成され、前面にドア１１５が装着される本体１１０と、前記冷蔵室１１２の内部を冷却するために、圧縮器１３３、凝縮器１３４、膨脹弁１３２及び蒸発器１３５などがそれぞれ冷媒管１０５に連結されて構成される冷凍ユニット１２０と、を含んで構成される。
【０００３】
また、前記冷凍ユニット１２０において、圧縮器１３３、膨脹弁１３２、凝縮器１３４及び該凝縮器１３４内部の冷媒を放熱させるための凝縮器ファン１３７を含み、作動時に高温が発生する高温部１３０は、前記冷蔵室１１２と隔壁１１１により遮断された機械室１１４に設置され、前記蒸発器１３５及び該蒸発器１３５を通過しながら冷却された空気を前記冷蔵室１１２の内部に循環させる循環ファン１３６を含む低温部１４０は、前記冷蔵室１１２の内部に設置される。
【０００４】
このように構成された従来の冷蔵庫においては、前記圧縮器１３３で低温低圧の気体冷媒が高温高圧の気体冷媒に変化し、前記凝縮器１３４で前記圧縮器１３３を通過した高温高圧の気体冷媒が高温高圧の液体冷媒に変化し、前記膨脹弁１３２で前記凝縮器１３４を通過した高温高圧の液体冷媒が低温低圧の液体冷媒に変化し、前記蒸発器１３５で前記膨脹弁１３２を通過した低温低圧の液体冷媒が気体状態に変化しながら前記蒸発器１３５周囲の熱を吸収する。よって、このような冷凍サイクルにより前記蒸発器１３５を通過する空気が冷却され、該冷却された空気は前記循環ファン１３６により前記冷蔵室１１２の内部を循環しながら該冷蔵室１１２の内部を冷却させる。
【発明の開示】
【発明が解決しようとする課題】
【０００５】
しかしながら、このような従来の冷蔵庫においては、冷凍ユニット１２０の高温部１３０が冷蔵室１１２と隔壁１１１により隔離された機械室１１４に設置され、前記低温部１４０は前記冷蔵室１１２の内部に設置されるため、冷蔵庫の組立工程で前記高温部１３０及び低温部１４０を別途に製作した後、前記冷蔵室１１２及び機械室１１４にそれぞれ分けて設置することとなり、よって、冷蔵庫の製造工程が複雑であるという問題点があった。
【０００６】
また、冷蔵庫の製造または使用中に、前記冷凍ユニット１２０のメンテナンスが要求される場合、冷蔵庫の本体１１０から前記冷凍ユニット１２０のみを別途に分離して修理することが難しいために、冷蔵庫のメンテナンスによる作業時間及び費用が増加するという問題点があった。
【０００７】
本発明は、このような従来の課題に鑑みてなされたもので、冷蔵室の内部を冷却するための一体の冷凍ユニットを前記冷蔵室から着脱自在に設置することで、冷蔵庫の製造工程を単純化し、冷蔵庫のメンテナンスを容易に行い得る冷蔵庫を提供することを目的とする。
【課題を解決するための手段】
【０００８】
このような目的を達成するために、本発明に係る冷蔵庫は、内部に冷蔵室が形成されるキャビネットと、該キャビネットの内部に着脱自在に設置されて前記冷蔵室の一方側を密閉し、その内部に機械室を形成するケーシングと、前記機械室の内部に設置され、圧縮、凝縮、膨脹及び蒸発の冷凍サイクルを行う各メカニズムが一体に構成されることで前記冷蔵室に冷気を供給する冷凍ユニットと、を含んで構成されることを特徴とする。
【発明の効果】
【０００９】
本発明に係る冷蔵庫においては、冷蔵室の内部に冷気を供給する一体の冷凍ユニットを前記冷蔵室から着脱自在に設置することで、冷蔵庫の製造工程を単純化し、冷蔵庫のメンテナンスを容易に行い得るという効果がある。
【発明を実施するための最良の形態】
【００１０】
以下、本発明の最良の実施形態について図面に基づいて説明する。
図１に示したように、本発明に係る冷蔵庫の第１実施形態は、内部に冷蔵室１２が形成され、前面にドア１５が装着されるキャビネット１０と、該キャビネット１０の内部に着脱自在に設置され、圧縮、凝縮、膨脹及び蒸発の冷凍サイクルを行う各メカニズムが一体に構成されることで前記冷蔵室１２に冷気を供給する冷凍ユニット３１と、を含んで構成されている。
【００１１】
且つ、図２に示したように、前記キャビネット１０は、前記冷蔵室１２の左右側壁をなす左右側パネル１０１と、前記冷蔵室１２の上側壁をなす上側パネル１０２と、前記冷蔵室１２の後側壁をなす後側パネル１０３と、から構成され、前記キャビネット１０は、前記各パネル１０１、１０２、１０３の組立により製作される。
【００１２】
また、図３に示したように、前記冷凍ユニット３１は、前記キャビネット１０の内部空間に該キャビネット１０から着脱自在に設置されて前記冷蔵室１２の下側を密閉し、その内部に機械室１４を形成するケーシング３２と、前記機械室１４の内部底面上に設置されて冷媒を圧縮する圧縮器３３と、該圧縮器３３により圧縮された冷媒を液化させる凝縮器３４と、該凝縮器３４により液化した高温高圧の冷媒を低温低圧の冷媒に変化させる膨脹弁(図示せず)と、該膨脹弁を通過した低温低圧の液体冷媒を気化させながら周囲の熱を吸収する蒸発器３５と、該蒸発器３５により冷却された空気を前記冷蔵室１２に強制送風させる循環ファン３６と、前記凝縮器３４内部の冷媒を放熱させるための凝縮器ファン３７と、前記循環ファン３６及び前記凝縮器ファン３７を駆動させるための駆動モータ３８と、このような冷凍ユニット３１の各構成要素を底面に支持させるベースプレート５０と、を含んで構成されている。
【００１３】
且つ、前記ケーシング３２は、前記冷蔵室１２の下側を密閉して該冷蔵室１２の底面をなし、該冷蔵室１２内部の空気が前記機械室１４に流入する空気循環口３２１a及び前記機械室１４内部の冷気が前記冷蔵室１２に供給される冷気流入口３２１bがそれぞれ形成された覆蓋板３２１と、該覆蓋板３２１の下側に固定され、前記機械室１４を外部と連通する第１室１４１と前記覆蓋板３２１の空気循環口３２１a及び冷気流入口３２１bと連通し外部から密閉される第２室１４２とに区画する隔壁３２２と、から構成される。一方、前記機械室１４の前面には、外部の空気を前記第１室１４１に流入させるための複数個の通気口１８が形成された前面カバー１７が設置される。
【００１４】
また、前記機械室１４の第１室１４１の内部には、前記圧縮器３３、凝縮器３４、膨脹弁及び凝縮器ファン３７が設置され、前記第２室１４２の内部には、前記蒸発器３５及び前記循環ファン３６が設置される。ここで、前記凝縮器ファン３７は、前記凝縮器３４を基準に空気の流動方向の前方側に配設され、前記循環ファン３６は、前記蒸発器３５を基準に冷気の流動方向の前方側に配設される。
【００１５】
また、前記駆動モータ３８は、前記隔壁３２２に固定され、その両方側から回転軸３８１がそれぞれ前記第１室１４１及び前記第２室１４２に向かって延長されて、前記循環ファン３６及び前記凝縮器ファン３７にそれぞれ連結される。一方、本発明において、前記循環ファン３６及び凝縮器ファン３７は、単一の駆動モータ３８により一体に駆動される構造に限定されずに、前記循環ファン３６と凝縮器ファン３７とをそれぞれ別の駆動モータにより駆動するように構成することもできる。
【００１６】
このような冷凍ユニット３１は、前記キャビネット１０から着脱可能なケーシング３２の内部に、圧縮器３３、凝縮器３４、膨脹弁及び蒸発器３５が一体に備えられるため、前記冷凍ユニット３１を前記キャビネット１０の内部に容易に装着し、且つ、離脱させることができる。
【００１７】
以下、このように構成された本発明に係る第１実施形態の冷蔵庫の動作について説明する。
まず、前記冷凍ユニット３１を前記キャビネット１０の内側下部に収納して設置し、前記ケーシング３２は、前記キャビネット１０の内部空間の下側を覆蓋することで、該キャビネット１０と共に前記冷蔵室１２を形成する。このとき、前記覆蓋板３２１は、前記冷蔵室１２の底の役割をする。且つ、前記冷蔵室１２と前記機械室１４の第２室１４２とは、前記覆蓋板３２１に形成された空気循環口３２１a及び冷気流入口３２１bを介して相互連通する。
【００１８】
そして、電圧が印加されて運転が開始されると、前記圧縮器３３で圧縮された冷媒は凝縮器３４で放熱して凝縮され、該凝縮された冷媒は膨脹弁(図示せず)を通して蒸発器３５に流入する。且つ、前記冷蔵室１２内部の空気は、前記循環ファン３６の回転により、前記空気循環口３２１aを通して前記蒸発器３５方向に流動し、該蒸発器３５を通過しながら冷却される。このように冷却された空気は、前記冷気流入口３２１bを通して前記冷蔵室１２の内部に流入することで、該冷蔵室１２の内部が冷却される。
【００１９】
一方、前記冷凍ユニット３１のメンテナンスを行う場合は、前記前面カバー１７を取り外し、前記ケーシング３２を前方に引っ張ると、冷凍ユニット３１がキャビネット１０から簡単に分離される。
【００２０】
このような本発明に係る冷蔵庫の第１実施形態は、前記キャビネット１０及び前記冷凍ユニット３１をそれぞれ別途に製作して組み立てることが可能であるため、冷蔵庫の組立工程が簡単であるという利点がある。また、前記冷凍ユニット３１を前記キャビネット１０から容易に分離することができるため、前記冷凍ユニット３１のメンテナンスを簡単に行うことができるし、作業時間及び費用を低減し得るという効果がある。
【００２１】
また、前記冷凍ユニット３１が前記キャビネット１０の内部で冷蔵室１２の底の役割を果たすため、前記キャビネット１０を底のない単純な形状に形成することができる。
以下、本発明に係る冷蔵庫の第２実施形態について、図４及び図５に基づいて説明する。前述した第１実施形態と同様な部分については同一符号を付して説明は省略する。
【００２２】
図４に示したように、本発明に係る冷蔵庫の第２実施形態は、内部に冷蔵室１２が形成され、前面にドア１５が装着されるキャビネット１０と、該キャビネット１０の内部に着脱自在に設置され、圧縮、凝縮、膨脹及び蒸発の冷凍サイクルを行う各メカニズムが一体に構成されることで前記冷蔵室１２に冷気を供給する冷凍ユニット３１と、を含んで構成されている。
【００２３】
また、図５に示したように、前記冷凍ユニット３１は、前記キャビネット１０の内部空間に該キャビネット１０から着脱自在に設置され、該キャビネット１０の下側を遮断して冷蔵室１２を形成し、その内部に機械室１４を形成するケーシング３２と、前記機械室１４の内部に設置されて冷媒を圧縮する圧縮器３３と、該圧縮器３３により圧縮された冷媒を液化させる凝縮器３４と、該凝縮器３４により液化した高温高圧の冷媒を低温低圧の冷媒に変化させる膨脹弁(図示せず)と、該膨脹弁を通過した低温低圧の液体冷媒を気化させながら周囲の熱を吸収する蒸発器３５と、該蒸発器３５により冷却された空気を前記冷蔵室１２に強制送風させる循環ファン３６と、前記凝縮器３４内部の冷媒を放熱させるための凝縮器ファン３７と、前記循環ファン３６及び前記凝縮器ファン３７を同時に駆動させるための駆動モータ３８と、このような冷凍ユニット３１の各構成要素を底面に支持させるベースプレート５０と、を含んで構成されている。
【００２４】
また、前記ケーシング３２は、前記冷蔵室１２の下側を密閉して前記冷蔵室１２の底面をなし、前記冷蔵室１２内部の空気が前記機械室１４に流入する空気循環口３２１a及び前記機械室１４内部の冷気が前記冷蔵室１２に流入する冷気流入口３２１bがそれぞれ形成された覆蓋板３２１と、該覆蓋板３２１の下側に固定され、前記機械室１４を外部と連通する第１室１４１と前記覆蓋板３２１の空気循環口３２１a及び冷気流入口３２１bと連通し外部から密閉される第２室１４２とにそれぞれ区画する隔壁３２２と、から構成される。且つ、前記機械室１４の前面には、外部の空気を前記第１室１４１に流入させるための複数個の通気口１８が形成された前面カバー１７が設置される。
【００２５】
また、前記機械室１４の第１室１４１の内部には、前記圧縮器３３、凝縮器３４、膨脹弁及び凝縮器ファン３７が設置され、前記第２室１４２の内部には、前記蒸発器３５及び前記循環ファン３６が設置される。ここで、前記凝縮器ファン３７は、前記凝縮器３４を基準に空気の流動方向の後方側に配設され、前記循環ファン３６は、前記蒸発器３５を基準に冷気の流動方向の前方側に配設される。
【００２６】
また、前記駆動モータ３８は、前記隔壁３２２に固定され、その両方側から回転軸３８１がそれぞれ前記第１室１４１及び前記第２室１４２に向かって延長されて、前記循環ファン３６及び前記凝縮器ファン３７にそれぞれ連結されている。
【００２７】
また、前記隔壁３２２は、前記覆蓋板３２１の底面から下側方向にそれぞれ異なる高さを有して延長形成された前方壁３２２a及び後方壁３２２bと、それら前方壁３２２a及び後方壁３２２bの下部が遮断されるように、それら前方壁３２２a及び後方壁３２２bの各端部から延長される一対の底面部３２２cと、それら底面部３２２c同士を連結し、前記キャビネット１０に対して所定角度傾斜して形成され、前記駆動モータ３８が設置される傾斜部３２２dと、から構成される。
【００２８】
このように構成された本発明に係る第２実施形態の冷蔵庫は、前記機械室１４を区画する隔壁３２２の一部分に傾斜部３２２dを形成することで、前記キャビネット１０の垂直軸を中心に傾斜して配設される前記駆動モータ３８を容易に設置し得るという利点がある。
【００２９】
本発明に係る第２実施形態の冷蔵庫の動作及び効果は、前述した第１実施形態とほぼ同様である。
【図面の簡単な説明】
【００３０】
【図１】本発明に係る冷蔵庫の第１実施形態を示した縦断面図である。
【図２】図１の冷蔵庫に備えられるキャビネットを示した斜視図である。
【図３】図１の冷蔵庫に備えられる冷凍ユニットを示した縦断面図である。
【図４】本発明に係る冷蔵庫の第２実施形態を示した縦断面図である。
【図５】図４の冷蔵庫に備えられる冷凍ユニットを示した縦断面図である。
【図６】従来の冷蔵庫を示した概略縦断面図である。
【図７】図６の冷蔵庫に備えられる冷凍サイクルを示した概略説明図である。
【符号の説明】
【００３１】
１０    キャビネット
１２    冷蔵室
１５    ドア
１７    前面カバー
１４    機械室
３１    冷凍ユニット
３２    ケーシング
３３    圧縮器
３４    凝縮器
３５    蒸発器
３６    循環ファン
３７    凝縮器ファン
３８    駆動モータ
５０    ベースプレート
【図１】
2005037120.tif 000003
【図２】
2005037120.tif 000004
【図３】
2005037120.tif 000005
【図４】
2005037120.tif 000006
【図５】
2005037120.tif 000007
【図６】
2005037120.tif 000008
【図７】
2005037120.tif 000009